(57)【要約】  複数のランダムアクセスプリアンブル（１３０）は、複数のグループ化スキーム（１２５）の１つに従ってグループ化される。異なるグループ化スキーム（１２５）は、異なるタイプのグループ選択基準に関連付けられている。無線デバイス（１１０）（例えば、ユーザ装置）は、複数のランダムアクセスプリアンブル（１３０）が複数のグループ化スキーム（１２５）の何れに従ってグループ化されるかを決定し、決定されたグループ化スキーム（１２５）に従って定義されたランダムアクセスプリアンブル（１３０）の複数のグループ（１３５）から、決定されたグループ化スキーム（１２５）に関連付けられたグループ選択基準のタイプに基づいて、グループ（１３５）を選択する。無線デバイス（１１０）は、選択されたグループ（１３５）から選択されたランダムアクセスプリアンブル（１２０）を使用して、基地局（１０５）へのランダムアクセスを試行する。【選択図】図１
2020508001.tif 000002
【特許請求の範囲】
【請求項１】
無線デバイス（１１０）によって実行されるランダムアクセスプリアンブル（１２０）選択の方法であって、
複数のランダムアクセスプリアンブル（１３０）が複数のグループ化スキーム（１２５）の何れに従ってグループ化されるかを決定すること（５１０）であって、異なるグループ化スキーム（１２５）は異なるタイプのグループ選択基準に関連付けられている、前記決定すること（５１０）と、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択すること（５２０）と、
前記選択されたグループ（１３５）から選択されたランダムアクセスプリアンブル（１２０）を使用して基地局（１０５）へのランダムアクセスを試行すること（５３０）と、
を含む方法。
【請求項２】
アクセスノード（１０５）から複数のランダムアクセスプリアンブル構成パラメータを受信することを更に含み、
前記複数のグループ化スキーム（１２５）は、グループ（１３５）の選択がそれぞれ少なくとも前記無線デバイス（１１０）からの保留中の送信のサイズおよび前記無線デバイス（１１０）のカバレッジ強化レベルに従うグループ選択基準のそれぞれのタイプに関連付けられた第１および第２のグループ化スキーム（１２５ａ，１２５ｂ）を含み、
前記複数のランダムアクセスプリアンブル（１３０）が前記複数のグループ化スキーム（１２５）の何れに従ってグループ化されるかを決定することは、前記複数のランダムアクセスプリアンブル構成パラメータの少なくとも２つの比較に基づく
請求項１に記載の方法。
【請求項３】
前記複数のランダムアクセスプリアンブル構成パラメータの少なくとも２つの比較は、ｓｉｚｅＯｆＲＡ−ＰｒｅａｍｂｌｅｓＧｒｏｕｐＡパラメータをｎｕｍｂｅｒＯｆＲＡ−Ｐｒｅａｍｂｌｅｓパラメータと比較することを含む
請求項２に記載の方法。
【請求項４】
前記複数のランダムアクセスプリアンブル（１３０）が前記複数のグループ化スキーム（１２５）の何れに従ってグループ化されるかを決定することは、前記複数のランダムアクセスプリアンブル（１３０）が、ｓｉｚｅＯｆＲＡ−ＰｒｅａｍｂｌｅｓＧｒｏｕｐＡパラメータがｎｕｍｂｅｒＯｆＲＡ−Ｐｒｅａｍｂｌｅｓパラメータに等しいか否かにそれぞれ基づく前記第１のグループ化スキーム（１２５ａ）又は前記第２のグループ化スキーム（１２５ｂ）に従ってグループ化されることを決定することを含む
請求項３に記載の方法。
【請求項５】
前記決定されたグループ化スキームに関連付けられたグループ選択基準のタイプは、カバレッジ強化レベルに基づいており、前記決定されたグループ化スキーム（１２５）に関連付けられたグループ選択基準の前記タイプに基づいてグループ（１３５）を選択することは、前記無線デバイス（１１０）のカバレッジ強化レベルに基づいてグループ（１３５）を選択することを含む
請求項１乃至４の何れか１項に記載の方法。
【請求項６】
異なる物理ランダムアクセスチャネル（ＰＲＡＣＨ）リソースは異なるカバレッジ強化レベルに関連付けられ、前記選択されたグループから選択された前記ランダムアクセスプリアンブル（１２０）を使用して前記基地局（１０５）へのランダムアクセスを試行することは、前記ランダムアクセスプリアンブル（１２０）が選択されたグループ（１３５）に対応するＰＲＡＣＨリソース上で、前記選択されたランダムアクセスプリアンブル（１２０）を送信することを含む
請求項５に記載の方法。
【請求項７】
前記複数のランダムアクセスプリアンブル（１３０）が前記複数のグループ化スキーム（１２５）の何れに従ってグループ化されるかを決定することは、前記複数のランダムアクセスプリアンブル（１３０）が前記第２のグループ化スキーム（１２５ｂ）に従ってグループ化されることを決定することを含み、
前記複数のグループ（１３５）の各々の複数のランダムアクセスプリアンブル（１３０）は、前記複数のランダムアクセスプリアンブル構成パラメータの少なくとも２つによって示される
請求項５又は６に記載の方法。
【請求項８】
前記複数のランダムアクセスプリアンブル構成パラメータの前記少なくとも２つは、ｆｉｒｓｔＰｒｅａｍｂｌｅパラメータおよびｌａｓｔＰｒｅａｍｂｌｅパラメータである
請求項７に記載の方法。
【請求項９】
前記決定されたグループ化スキーム（１２５）に関連付けられたグループ選択基準のタイプは、送信サイズに基づき、前記決定されたグループ化スキーム（１２５）に関連付けられたグループ選択基準のタイプに基づいて前記グループ（１３５）を選択することは、前記無線デバイス（１１０）からの保留中の送信のサイズに基づいて前記グループ（１３５）を選択することを含む
請求項１乃至４の何れか１項に記載の方法。
【請求項１０】
無線デバイス（１１０）であって、
プロセッサ（７１０）およびメモリ（７３０）を有し、前記メモリ（７３０）は前記プロセッサ（７１０）によって実行可能な命令を含み、それにより、前記無線デバイス（１１０）は、
複数のランダムアクセスプリアンブル（１３０）が複数のグループ化スキーム（１２５）の何れに従ってグループ化されるかを決定し、ここで、異なるグループ化スキーム（１２５）は異なるタイプのグループ選択基準に関連付けられており、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択し、
前記選択されたグループ（１３５）から選択されたランダムアクセスプリアンブル（１２０）を使用して基地局（１０５）へのランダムアクセスを試行する
ように動作する
無線デバイス（１１０）。
【請求項１１】
実施形態２乃至９の何れか１つの方法を実行するように構成された請求項１０に記載の無線デバイス（１１０）。
【請求項１２】
ランダムアクセスプリアンブル（１２０）選択のための無線デバイス（１１０）であって、
複数のランダムアクセスプリアンブル（１３０）が複数のグループ化スキーム（１２５）の何れに従ってグループ化されるかを決定し、ここで、異なるグループ化スキーム（１２５）は異なるタイプのグループ選択基準に関連付けられており、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択し、
前記選択されたグループ（１３５）から選択されたランダムアクセスプリアンブル（１２０）を使用して基地局（１０５）へのランダムアクセスを試行する
ように構成される無線デバイス（１１０）。
【請求項１３】
実施形態２乃至９の何れか１つの方法を実行するように構成された請求項１２に記載の無線デバイス（１１０）。
【請求項１４】
ランダムアクセスプリアンブル（１２０）選択のための無線デバイス（１１０）であって、
複数のランダムアクセスプリアンブル（１３０）が複数のグループ化スキーム（１２５）の何れに従ってグループ化されるかを決定するように構成された決定モジュール（８１０）であって、異なるグループ化スキーム（１２５）は異なるタイプのグループ選択基準に関連付けられている、前記決定モジュール（８１０）と、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択するように構成された選択モジュール（８２０）と、
前記選択されたグループ（１３５）から選択されたランダムアクセスプリアンブル（１２０）を使用して基地局（１０５）へのランダムアクセスを試行するように構成されたランダムアクセスモジュール（８３０）と、
を有する無線デバイス。
【請求項１５】
実施形態２乃至９の何れか１つの方法を実行するように構成された請求項１４に記載の無線デバイス（１１０）。
【請求項１６】
デバイスの少なくとも１つのプロセッサにより実行されたとき、該少なくとも１つのプロセッサに実施形態１乃至９の何れか１つの方法を実行させる命令を含む、コンピュータプログラム。
【請求項１７】
請求項１６に記載のコンピュータプログラムを含むキャリアであって、該キャリアは、電気信号、光信号、無線信号、またはコンピュータ可読記憶媒体のうちの１つである、キャリア。
【発明の詳細な説明】
【技術分野】
【０００１】
本開示の実施形態は、一般に、無線通信の技術分野に関し、より詳細には、無線デバイスによって実行されるランダムアクセスプリアンブル選択の方法およびランダムアクセスプリアンブル選択のための無線デバイスに関する。
【背景技術】
【０００２】
多くの無線通信システム（ロングタームエボリューション（ＬＴＥ）など）では、無線デバイスから基地局へのアップリンクにおいて、専用のリソースを持たずに、無線デバイス（例えば、ユーザ装置（ＵＥ））が（例えば、ｅＮｏｄｅＢまたは他の基地局を介して）ネットワークに接続する必要があり得る。これを処理するために、アップリンクに専用リソースがないにもかかわらず、無線デバイスが基地局に信号を送信できるように、ランダムアクセス手順が利用できる場合がある。この手順の最初のメッセージは、通常、物理ランダムアクセスチャネル（ＰＲＡＣＨ）として知られるランダムアクセス用に予約された特別なリソースで無線デバイスによって送信される。ＰＲＡＣＨ送信に利用可能なリソースは、ブロードキャストされたシステム情報の一部として（または、例えばハンドオーバーの場合の専用ＲＲＣシグナリングの一部として）ＵＥに提供され得る。
【発明の概要】
【０００３】
本開示の実施形態は、ランダムアクセスプリアンブル選択のための方法、システム、装置、コンピュータ可読媒体、およびプログラムを含む。特定の実施形態によれば、複数のランダムアクセスプリアンブルは、複数のグループ化スキームの１つに従ってグループ化され得る。異なるグループ化スキームは、異なるタイプのグループ選択基準に関連付けられている。無線デバイス（例えば、ＵＥ）は、複数のランダムアクセスプリアンブルが複数のグループ化スキームの何れに従ってグループ化されるかを決定し、決定されたグループ化スキームに従って定義されたランダムアクセスプリアンブルの複数のグループから、決定されたグループ化スキームに関連付けられたグループ選択基準のタイプに基づいて、グループを選択する。次に、無線デバイスは、選択されたグループから選択されたランダムアクセスプリアンブルを使用して、基地局へのランダムアクセスを試行する。
【０００４】
例えば、第１のグループ化スキームは、グループの選択が少なくとも無線デバイスからの保留中の送信のサイズに従うグループ選択基準のタイプに関連付けられ得、一方、第２のグループ化スキームは、グループの選択が無線デバイスのカバレッジ強化レベルに従うグループ選択基準のタイプに関連付けられ得る。したがって、ランダムアクセスプリアンブルがどのようにグループ化されるかの決定は、例えば、とりわけ、無線デバイスが適切なグループからランダムアクセスプリアンブルを選択することを可能にし得る。
【０００５】
本開示の特定の実施形態は、ランダムアクセスプリアンブル選択の方法を含む。この方法は、無線デバイスによって実行される。この方法は、複数のランダムアクセスプリアンブルが複数のグループ化スキームの何れに従ってグループ化されるかを決定することを含む。異なるグループ化スキームは、異なるタイプのグループ選択基準に関連付けられている。方法は、決定されたグループ化スキームに従って定義されたランダムアクセスプリアンブルの複数のグループから、決定されたグループ化スキームに関連付けられたグループ選択基準のタイプに基づいて、グループを選択することをさらに含む。方法は、選択されたグループから選択されたランダムアクセスプリアンブルを使用して基地局へのランダムアクセスを試行することをさらに含む。
【０００６】
いくつかの実施形態では、方法は、アクセスノードから複数のランダムアクセスプリアンブル構成パラメータを受信することをさらに含む。複数のグループ化スキームは、グループの選択がそれぞれ少なくとも無線デバイスからの保留中の送信のサイズおよび無線デバイスのカバレッジ強化レベルに従うグループ選択基準のそれぞれのタイプに関連付けられた第１および第２のグループ化スキームを含む。さらに、複数のランダムアクセスプリアンブルが複数のグループ化スキームの何れに従ってグループ化されるかを決定することは、複数のランダムアクセスプリアンブル構成パラメータの少なくとも２つの比較に基づく。いくつかのそのような実施形態では、複数のランダムアクセスプリアンブル構成パラメータの少なくとも２つの比較は、ｓｉｚｅＯｆＲＡ−ＰｒｅａｍｂｌｅｓＧｒｏｕｐＡパラメータをｎｕｍｂｅｒＯｆＲＡ−Ｐｒｅａｍｂｌｅｓパラメータと比較すること、を含む。そのような実施形態の特定の例では、複数のランダムアクセスプリアンブルが複数のグループ化スキームの何れに従ってグループ化されるかを決定することは、複数のランダムアクセスプリアンブルが、ｓｉｚｅＯｆＲＡ−ＰｒｅａｍｂｌｅｓＧｒｏｕｐＡパラメータがｎｕｍｂｅｒＯｆＲＡ−Ｐｒｅａｍｂｌｅｓパラメータに等しいか否かにそれぞれ基づく第１のグループ化スキーム又は第２のグループ化スキームに従ってグループ化されることを決定することを含む。
【０００７】
上記の実施形態の１つまたは複数において、決定されたグループ化スキームに関連付けられたグループ選択基準のタイプは、カバレッジ強化レベルに基づいており、決定されたグループ化スキームに関連付けられたグループ選択基準のタイプに基づいてグループを選択することは、無線デバイスのカバレッジ強化レベルに基づいてグループを選択することを含む。いくつかのそのような実施形態では、異なる物理ランダムアクセスチャネル（ＰＲＡＣＨ）リソースは異なるカバレッジ強化レベルに関連付けられ、選択されたグループから選択されたランダムアクセスプリアンブルを使用して基地局へのランダムアクセスを試行することは、ランダムアクセスプリアンブルが選択されたグループに対応するＰＲＡＣＨリソース上で、選択されたランダムアクセスプリアンブルを送信することを含む。いくつかのそのような実施形態は、追加的または代替的に、複数のランダムアクセスプリアンブルが複数のグループ化スキームの何れに従ってグループ化されるかを決定することは、複数のランダムアクセスプリアンブルが、第２のグループ化スキームに従ってグループ化されることを決定することを含む。さらに、複数のグループの各々の複数のランダムアクセスプリアンブルは、複数のランダムアクセスプリアンブル構成パラメータの少なくとも２つによって示される。そのような実施形態の特定の例では、複数のランダムアクセスプリアンブル構成パラメータの少なくとも２つは、ｆｉｒｓｔＰｒｅａｍｂｌｅパラメータおよびｌａｓｔＰｒｅａｍｂｌｅパラメータである。
【０００８】
上記の実施形態の１つまたは複数において、決定されたグループ化スキームに関連付けられたグループ選択基準のタイプは、送信サイズに基づき、決定されたグループ化スキームに関連付けられたグループ選択基準のタイプに基づいてグループを選択することは、無線デバイスからの保留中の送信のサイズに基づいてグループを選択することを含む。
【０００９】
本開示の他の実施形態は、無線デバイスを含む。無線デバイスは、複数のランダムアクセスプリアンブルが複数のグループ化スキームの何れに従ってグループ化されるかを決定するように構成される。異なるグループ化スキームは、異なるタイプのグループ選択基準に関連付けられている。無線デバイスは、決定されたグループ化スキームに従って定義されたランダムアクセスプリアンブルの複数のグループから、決定されたグループ化スキームに関連付けられたグループ選択基準のタイプに基づいて、グループを選択するようにさらに構成される。無線デバイスは、選択されたグループから選択されたランダムアクセスプリアンブルを使用して、基地局へのランダムアクセスを試行するようにさらに構成される。
【００１０】
いくつかの実施形態では、無線デバイスは、上述の方法の何れかを実行するようにさらに構成される。
【００１１】
いくつかの実施形態では、無線デバイスは、プロセッサおよびメモリを有し、メモリはプロセッサによって実行可能な命令を含み、それにより、無線デバイスは上記の何れかに従って動作するように構成される。
【００１２】
いくつかの実施形態では、無線デバイスは、決定モジュール、選択モジュール、およびランダムアクセスモジュールを含む。決定モジュールは、複数のランダムアクセスプリアンブルが複数のグループ化スキームの何れに従ってグループ化されるかを決定するように構成される。選択モジュールは、決定されたグループ化スキームに従って定義されたランダムアクセスプリアンブルの複数のグループから、決定されたグループ化スキームに関連付けられたグループ選択基準のタイプに基づいて、グループを選択するように構成される。ランダムアクセスモジュールは、選択されたグループから選択されたランダムアクセスプリアンブルを使用して基地局へのランダムアクセスを試行するように構成される。
【００１３】
本開示の他の実施形態は、デバイスの少なくとも１つのプロセッサにより実行されたとき、少なくとも１つのプロセッサに上記の方法の何れかを実行させる命令を含むコンピュータプログラムを含む。
【００１４】
本開示の他の実施形態は、コンピュータプログラムを含むキャリアを含む。キャリアは、電気信号、光信号、無線信号、またはコンピュータ可読記憶媒体のうちの１つである。
【図面の簡単な説明】
【００１５】
本開示の態様は、例として示されており、同様の参照番号が同様の要素を示す添付の図面によって限定されない。一般に、参照番号の使用は、１つまたは複数の実施形態に従って描かれた主題を指すと見なされるべきであるが、示された要素の特定の事例の議論はそれに文字指定を追加する（例えば、グループ化スキーム１２５の議論、一般に、図示されたグループ化スキーム１２５ａ、１２５ｂの特定の事例の議論とは対照的に）。
【００１６】
【図１】本開示の１つまたは複数の実施形態によるランダムアクセスプリアンブル選択を示すブロック図である。
【図２】本開示の１つまたは複数のさらなる実施形態によるランダムアクセスプリアンブル選択を示すブロック図である。
【図３】本開示の１つまたは複数の実施形態による、アップリンクのリソースを示すブロック図である。
【図４】本開示の１つまたは複数の実施形態による、ランダムアクセス手順をサポートする無線デバイスと基地局との間で交換される信号を示すシグナリング図である。
【図５】本開示の１つまたは複数のさらなる実施形態による例示的な方法を示すフローチャートである。
【図６】本開示の１つまたは複数のさらなる実施形態による別の例示的な方法を示すフローチャートである。
【図７】本開示の１つまたは複数のさらなる実施形態による例示的な無線デバイスを示すブロック図である。
【図８】本開示の１つまたは複数のさらなる実施形態による別の例示的な無線デバイスを示すブロック図である。
【図９】本開示の１つまたは複数のさらなる実施形態によるさらに別の例示的な無線デバイスを示すブロック図である。
【発明を実施するための形態】
【００１７】
本開示の実施形態は、ランダムアクセスプリアンブル選択のための方法、システム、装置、コンピュータ可読媒体、およびプログラムを含む。従来、プリアンブルは、グループＡとグループＢと呼ばれる２つのグループにグループ化されている。グループＡのプリアンブルは、通常、小さいサイズのパケット、または劣悪な電波状態における大きいサイズのパケットに使用される。グループＢのプリアンブルは、通常、良好な無線状態における大きなサイズのパケットに使用される。適切なグループからプリアンブルを選択し、このプリアンブルを基地局に送信することにより、無線デバイスは、基地局が当該無線デバイスがアップリンクで送信するために必要なリソースを計算するのを助け得る。
【００１８】
本開示の実施形態によれば、ランダムアクセスプリアンブルは、複数のグループ化スキームのうちの１つに従ってグループ化され得、異なるグループ化スキームは、異なるタイプのグループ選択基準に関連付けられる。無線デバイス（例えば、ＵＥ）は、複数のランダムアクセスプリアンブルが複数のグループ化スキームの何れに従ってグループ化されるかを決定し、決定されたグループ化スキームに従って定義されたランダムアクセスプリアンブルの複数のグループから、決定されたグループ化スキームに関連付けられたグループ選択基準のタイプに基づいて、グループを選択する。次に、無線デバイスは、選択されたグループから選択されたランダムアクセスプリアンブルを使用して、基地局へのランダムアクセスを試行する。
【００１９】
図１は、本開示の１つまたは複数の実施形態によるランダムアクセスプリアンブル選択を示している。この例では、ランダムアクセスプリアンブルの選択は、選択されたランダムアクセスプリアンブル１２０を使用して、基地局１０５（たとえば、通信ネットワークのアクセスノード）へのランダムアクセスを試行する無線デバイス１１０によって実行される。この例によれば、ランダムアクセスプリアンブル１２０は、グループ化スキーム１２５ａに従ってグループ化された複数のプリアンブルグループ１３５ａ〜ｃのうちの１つであるプリアンブルグループ１３５ｃから選択される。グループ化スキーム１２５ａは、ランダムアクセスプリアンブル１３０がグループ化され得る複数のグループ化スキーム１２５ａ〜ｂのうちの１つである。この例では、ランダムアクセスプリアンブル１３０はグループ化スキーム１２５ａに従ってグループ化されるが、他の実施形態では、グループ化スキーム１２５ｂ（それ自身のプリアンブルグループ１３５ｄ〜ｆを有する）および／または１または複数の他のグループ化スキーム（不図示）に従ってグループ化され得る。
【００２０】
グループ化スキーム１２５ａ〜ｂのそれぞれは、無線デバイス１１０が適切なプリアンブルグループ１３５を選択するために使用し得る異なるタイプのグループ選択基準に関連付けられている。例えば、グループ化スキーム１２５ａは、グループ１３５の選択が無線デバイス１１０からの保留中の送信のサイズおよび／または無線デバイス１１０によって検出された経路損失の量に従うグループ選択基準のタイプに関連付けられ得る一方、グループ化スキーム１２５ｂは、グループ１３５の選択が無線デバイスのカバレッジ強化レベルに従うグループ選択基準のタイプに関連付けられ得る。
【００２１】
例えば、無線デバイス１１０からの保留中の送信のサイズが閾値ｍｅｓｓａｇｅＳｉｚｅＧｒｏｕｐＡよりも大きく、かつ、無線デバイス１１０によって検出された経路損失が閾値ＰＣＭＡＸ、Ｃ未満である場合に、グループ化スキーム１２５ａは、グループ１３５ａの選択が実行されるグループ１３５ａと１３５ｂの間で選択するためのグループ選択基準のタイプに関連付けられ得る。あるいは、プリアンブルグループ１３５ａ〜ｃのプリアンブル（すなわち、ランダムアクセスプリアンブル１３０がグループ化スキーム１２５ａに従ってグループ化されるとき）は、無線デバイス１１０がそれぞれ小、中、大の保留中の送信を有するときに使用することを目的とし得る。他の実施形態は、他のタイプのグループ選択基準に関連付けられたグループ化スキーム１２５を含み、任意の数の対応するグループ１３５を含み得る。
【００２２】
別の例として、プリアンブルグループ１３５ｄ〜ｆのプリアンブル（すなわち、ランダムアクセスプリアンブル１３０がグループ化スキーム１２５ｂに従ってグループ化されるとき）は、無線デバイス１１０がそれぞれの拡張カバレッジ強化レベルにあるときに使用することを目的とし得る。他の実施形態は、上記とは異なるまたはそれに加えて、１つ以上のグループ化スキーム１２５を含む。
【００２３】
カバレッジ強化を例にとると、これは通常、さまざまな形式の繰り返しと再送信によって達成され、ダウンリンクとアップリンクの両方で受信側でのエネルギー蓄積を可能にする。無線端末１１０との間で送信される物理信号およびチャネルの繰り返しの量は、無線端末のカバレッジ状況に関して最適化され得る（良好なカバレッジ状況におけるよりも悪いカバレッジ状況においてより多くの繰り返しを伴う）。無線デバイス１１０は、基地局１０５の通常の範囲外にあるため、カバレッジが強化されている場合がある。典型的には、無線デバイス１１０は、ランダムアクセス中に必要なカバレッジ強化の量（すなわち、「カバレッジ強化レベル」）を基地局１０５に示す。実施形態によれば、カバレッジ強化レベル選択基準に従ってグループ化され、基地局１０５へのランダムアクセス送信に含まれる、適切なプリアンブルグループ１３５ｄ〜ｆからのプリアンブル１２０の選択は、このインジケーションを基地局１０５に提供し得る。
【００２４】
すなわち、基地局１０５は、プリアンブル１３０がどのようにグループ化されるかを考慮して、無線デバイス１１０が選択したプリアンブル１２０から無線デバイス１１０のカバレッジ強化レベルを識別することができる場合がある。同様に、送信サイズ選択基準に従ってグループ化され、基地局１０５へのランダムアクセス送信に含まれる、プリアンブルグループ１３５ａ〜ｃからのプリアンブル１２０の選択は、無線デバイス１１０からの保留送信のサイズのインジケーションを基地局１０５に提供し得る。図１に示されるように、無線デバイス１１０のプリアンブル選択部１１５はプリアンブル１２０を選択する。
【００２５】
重要なことに、いくつかの実施形態では、グループ化スキーム１２５ａに従ってプリアンブル１３０をグループ化することは、他のタイプのグループ１３５ｄ〜ｆの使用に干渉する。追加または代替として、グループ化スキーム１２５ｂに従ってプリアンブル１３０をグループ化することは、グループ１３５ａ〜ｃの使用に干渉する。例えば、送信されるデータ量の差がグループ１３５ａ〜ｃの１つからのプリアンブルの選択によって示される場合、ランダムアクセスプリアンブル１３０はグループ化スキーム１２５ｂに従ってグループ化されないため、カバレッジ強化レベルを選択および／または示されることができない。したがって、無線デバイス１１０は、ランダムアクセスプリアンブル１３０が複数のグループ化スキーム１２５ａ〜ｂのうちの何れに従ってグループ化されるかの決定に基づいてプリアンブル１２０を選択し得る。
【００２６】
他の実施形態は、他の方法でプリアンブル１３０をグループ化し得る。例えば、他の実施形態は、共存するグループ化スキーム１２５を含み得る。いくつかのそのような実施形態では、プリアンブル１３０のある部分は第１のグループ化スキーム１２５ａに従ってグループ化され、プリアンブル１３０の異なる部分は第２のグループ化スキーム１２５ｂに従ってグループ化される。いくつかのそのような実施形態では、異なる部分のプリアンブル１３０は相互にばらばらであり得る。いくつかの他の実施形態では、異なる部分のプリアンブル１３０は互いに交差し得る（共通部分を有し得る）。したがって、本明細書で説明される原理は、様々な実施形態による任意の複雑さのプリアンブル１３０の異なる配置に適用され得る。
【００２７】
ランダムアクセスプリアンブル１３０が複数のグループ化スキーム１２５ａ〜ｂのうちの何れに基づいてグループ化されるかを決定することは、特定の実施形態に依存して様々な方法で実行され得る。特定の一例では、この決定は、パラメータｓｉｚｅＯｆＲＡ−ＰｒｅａｍｂｌｅｓＧｒｏｕｐＡとｎｕｍｂｅｒＯｆＲＡ−Ｐｒｅａｍｂｌｅｓとの比較に基づいている。
【００２８】
特に、無線デバイス１１０は、ｓｉｚｅＯｆＲＡ−ＰｒｅａｍｂｌｅｓＧｒｏｕｐＡがｎｕｍｂｅｒＯｆＲＡ−Ｐｒｅａｍｂｌｅｓと等しくない場合、ランダムアクセスプリアンブルグループＢが存在すると判定し得る。ランダムアクセスプリアンブルグループＢが存在しない場合（たとえば、ｓｉｚｅＯｆＲＡ−ＰｒｅａｍｂｌｅｓＧｒｏｕｐＡがｎｕｍｂｅｒＯｆＲＡ−Ｐｒｅａｍｂｌｅｓと等しいため）、無線デバイス１１０は、各グループが異なるカバレッジ強化レベルに関連付けられているプリアンブルグループのタイプが存在すると判断し得る。
【００２９】
上記をＬＴＥ  ＭＡＣ仕様に実装する方法の例は次の通りである：
ｓｉｚｅＯｆＲＡ−ＰｒｅａｍｂｌｅｓＧｒｏｕｐＡがｎｕｍｂｅｒＯｆＲＡ−Ｐｒｅａｍｂｌｅｓと等しくない場合：
−ランダムアクセスプリアンブルグループＢが存在し、上記のように計算される；
さもなければ：
−各拡張カバレッジレベルのランダムアクセスプリアンブルグループに含まれるプリアンブルは、存在する場合、ｆｉｒｓｔＰｒｅａｍｂｌｅからｌａｓｔＰｒｅａｍｂｌｅまでのプリアンブルである。
【００３０】
上記の例では、無線デバイス１１０は、ランダムアクセスプリアンブルグループＡの中のプリアンブルの数がプリアンブルの数を示す値（例えば、特に専用プリアンブルの数）より小さいか否かを判定する。この場合、無線デバイス１１０は、ランダムアクセスプリアンブルグループＢが存在すると判断する。存在しない場合、無線デバイス１１０は、代わりに、既存の拡張カバレッジレベルごとにランダムアクセスプリアンブルグループが存在すると判断する。
【００３１】
あるいは、図２に示すように、無線デバイス１１０は、第１のグループ化スキーム１２５ａに従って定義された第１のグループ１３５ｃと第２のグループ化スキーム１２５ｂに従って定義された第２のグループ１３５ｄとの共通部分であると決定されたプリアンブルのグループ１３５ｇからプリアンブルを選択し得る。いくつかの実施形態では、これにより、無線デバイス１１０は、ランダムアクセスプリアンブル１３０が複数のグループ化スキーム１２５ａ〜ｂのうちの何れか１つに従ってグループ化されることを決定する必要を回避することができる（すなわち、グループ化スキーム１２５ａ〜ｂの何れかの下で適切であるプリアンブル１２０を選択することにより）。
【００３２】
すなわち、実施形態によれば、無線デバイス１１０は、ランダムアクセスプリアンブル送信が実行されるとき、プリアンブル１２０が選択されるプリアンブルのグループ１３５ｃを選択する。無線デバイス１１０は、第１タイプのプリアンブルグループから第１グループのプリアンブルの第１選択を実行し、例えば、グループ１３５ａ〜ｃの間で選択し、これらのグループのそれぞれはグループ化スキーム１２５ａに従うタイプに従ってグループ化される。無線デバイス１１０は、また、第２タイプのプリアンブルグループから第２グループのプリアンブルの第２選択を実行し、例えば、グループ１３５ｄ〜ｆの間で選択し、これらのグループのそれぞれはグループ化スキーム１２５ｂに従うタイプに従ってグループ化される。いくつかの実施形態では、グループ化スキーム１２５ａは保留中の送信サイズに関連付けられ得、グループ化スキーム１２５ｂはカバレッジ強化レベルに関連付けられ得る。グループ１３５ｃ〜ｄそれぞれからの選択は、任意の順序であり得る。
【００３３】
無線デバイス１１０は、グループ１３５ｃおよびグループ１３５ｄからのプリアンブルの共通部分であるプリアンブルのグループ１３５ｇを決定し、決定されたグループ１３５ｇから選択されたプリアンブル１２０を使用してプリアンブル送信を実行する。
【００３４】
無線デバイス１１０は、無線デバイス１１０から基地局１０５へのアップリンクに専用リソースがないにもかかわらず、無線デバイス１１０が基地局１０５に信号を送信することを可能にするランダムアクセス手順に参加するためにプリアンブル１２０を選択し得る。この手順の最初のメッセージは、物理ランダムアクセスチャネル（ＰＲＡＣＨ）として知られるランダムアクセス用に予約された特別なリソースで無線デバイスによって送信される。ＰＲＡＣＨ送信に利用可能なリソースは、ブロードキャストされたシステム情報の一部として（または、例えば、ハンドオーバの場合の専用ＲＲＣシグナリングの一部として）無線デバイス１１０に提供され得る。そのような手順は、とりわけ（例えば）ＬＴＥを含む無線通信をサポートするさまざまな通信システムで使用され得る。
【００３５】
基地局１０５と無線デバイス１１０との間の無線通信は、時間および／または周波数領域にわたる無線リソースを使用して実行され得る。さまざまな通信システムが、さまざまな帯域幅や時間フレームをサポートしている。たとえば、ＬＴＥは通常、最大２０ＭＨｚの送受信帯域幅をサポートし、１０ミリ秒の無線フレームを使用する。周波数領域は複数のサブキャリアをサポートする。無線フレームは（通常）１０個の同じサイズのサブフレームに分割され、各サブフレームには２つのスロットが含まれる。周波数および時間領域のリソースは、物理リソースブロック（ＰＲＢ）に集約し得る。典型的なＰＲＢは、１２サブキャリアの幅及び１スロットの長さである。
【００３６】
ＬＴＥのリリース１３は、マシンタイプ通信（ＭＴＣ）のための、バッテリー寿命、デバイスのコスト／複雑さ、およびカバレッジの最適化を導入する。ＭＴＣデバイス（例えば、いくつかの実施形態では無線デバイス１１０）は、ＬＴＥネットワークロールアウトが完全なカバレッジに対して寸法決めされていない困難な場所に時々配置され得る。たとえば、スマートメーターは多くの場合、建物の地下室に配置され、金属製のエンクロージャに収容され；同様に、スマート農業のユースケースでは、デバイスは農村部や孤立した地域に配置され得る。
【００３７】
デバイスのコスト／複雑さの削減は、さまざまな手法によって実現され得る。ＬＴＥリリース１３で導入された重要な技術の１つは、ＵＥの送受信帯域幅を２０ＭＨｚから１．４ＭＨｚに削減することである。帯域幅の削減は、無線デバイス１１０が送信または受信可能なリソースごとの物理リソースブロック数が少ないことを意味する（たとえば、ＬＴＥで典型の最大１００ＰＲＢではなく、１８０ｋＨｚそれぞれで最大６物理リソースブロック（ＰＲＢ））。
【００３８】
図３は、例えばランダムアクセス手順の一部としての、本開示の様々な実施形態による、無線デバイス１１０から基地局１０５への選択されたプリアンブル１２０の送信をサポートするアップリンク上の送信リソースを示す。示されているように、アップリンクは、長さが１０ミリ秒の無線フレームで構成され、各無線フレームには、長さがそれぞれ１ミリ秒の１０個のサブフレームが含まれる。この特定のアップリンクのリソースは、６ＰＲＢ幅および１サブフレーム長の単位で割り当てられる。一部のリソースはデータ送信に使用されるが、他のリソースはランダムアクセスプリアンブル送信用に予約されている（たとえば、ＰＲＡＣＨリソースと呼ばれることもある）。
【００３９】
いくつかの実施形態では、無線デバイス１１０は、基地局１０５からブロードキャストされるシステム情報を介して、何れのリソースがランダムアクセスプリアンブル送信のために予約されているかを知ることができる。いくつかの実施形態では、異なるカバレッジ強化レベルのために別個のＰＲＡＣＨリソースが使用される。すなわち、無線デバイス１１０は、カバレッジ強化レベルに対応するＰＲＡＣＨリソースを選択し得る。いくつかのそのような実施形態では、特定のＰＲＡＣＨリソースでプリアンブル１２０を送信することは、無線デバイス１１０のカバレッジ強化レベルを基地局１０５に示し得る。
【００４０】
ランダムアクセス手順は、さまざまな理由で使用され得る。そのような理由には、たとえば、初期アクセス（たとえば、無線デバイス１１０がＬＴＥ＿ＩＤＬＥまたはＬＴＥ＿ＤＥＴＡＣＨＥＤ状態にあるとき）、着信ハンドオーバ、アップリンクの再同期、スケジューリング要求（たとえば、無線デバイス１１０に基地局１０５と連絡するための他のリソースが割り当てられていないとき）、および／または測位、を含み得る。
【００４１】
ＬＴＥで使用される競合ベースのランダムアクセス手順３００が図４に示されている。無線デバイス１１０は、競合ベースのランダムアクセスに利用可能な複数のプリアンブル１３０の１つをランダムに選択し、選択したランダムアクセスプリアンブル１２０を物理ランダムアクセスチャネル（ＰＲＡＣＨ）上のＭＳＧ１で基地局１０５に送信する、ことによりランダムアクセス手順３００を開始する（ステップ３２０）。上述のように、無線デバイス１１０は、基地局１０５からブロードキャストされた以前のシステム情報からランダムアクセスプリアンブル送信のために予約されたリソースを知ることができる（ステップ３１０）。
【００４２】
基地局１０５は、プリアンブル１２０、アップリンク共有チャネルで使用される初期許可、一時セル無線ネットワーク一時識別子（ＴＣ−ＲＮＴＩ）、および、ＰＲＡＣＨ上で基地局１０５によって測定されたプリアンブル１２０のタイミングオフセットに基づく時間アラインメント（ＴＡ）更新、を含むランダムアクセス応答（ＭＳＧ２）を送信することにより、プリアンブル１２０に肯定応答する（ステップ３３０）。ＭＳＧ２は、無線デバイス１１０へのダウンリンクで送信される。
【００４３】
応答を受信すると、無線デバイス１１０は許可を使用して、一部は無線リソース制御の確立をトリガーし一部はセルの共通チャネルで無線デバイス１１０を一意に識別するために使用されるメッセージ（ＭＳＧ３）を送信する。ランダムアクセス応答で提供される時間アラインメントコマンドは、ＭＳＧ３のアップリンク送信で適用される（ステップ３４０）。基地局１０５は、ＴＣ−ＲＮＴＩでスクランブルされたアップリンク許可を送信することにより、ＭＳＧ３送信に割り当てられたリソースブロックを変更し得る。
【００４４】
ＭＳＧ４（競合解決用）は、無線デバイス１１０に以前に割り当てられていた場合、Ｃ−ＲＮＴＩでスクランブルされたＰＤＣＣＨを有する。それ以外の場合、ＰＤＣＣＨはＴＣ−ＲＮＴＩでスクランブルされる。手順は、基地局１０５が、発生し得るプリアンブル競合（すなわち、複数の無線デバイス１１０が同じプリアンブルを同時に送信する場合）を解決することで終了する。これは、送信するタイミングと使用するプリアンブル１２０を各無線デバイス１１０がランダムに選択するために発生し得る。複数の無線デバイス１１０がＰＲＡＣＨでの送信に同じプリアンブル１２０を使用する場合、競合解決メッセージ（ＭＳＧ４）を通じて解決する必要がある競合が存在するであろう。
【００４５】
いくつかの実施形態では、無線デバイス１１０がＭＳＧ３を再送信する場合でも、無線デバイス１１０が現在のカバレッジ強化レベルに関連付けられたプリアンブル１２０を選択することが有利に保証される。これにより、ランダムアクセス障害が回避され、その結果、無線リンク障害の数が低減される。いくつかの実施形態は、追加的または代替的に、従来のＡ／Ｂグルーピングに従ってグループ化された両方のランダムアクセスプリアンブルの構成と、異なるカバレッジ強化レベルに関連付けられたランダムアクセスプリアンブルグループの構成と、を有益に可能にする。
【００４６】
図１を参照すると、図５は、無線デバイス１１０によって実行されるランダムアクセスプリアンブル選択の例示的な方法５００を示している。方法５００は、複数のランダムアクセスプリアンブル１３０が複数のグループ化スキーム１２５の何れに従ってグループ化されるかを決定することを含む（ブロック５１０）。異なるグループ化スキーム１２５は、異なるタイプのグループ選択基準に関連付けられている。方法５００は、決定されたグループ化スキーム１２５に従って定義されたランダムアクセスプリアンブル１３０の複数のグループ１３５から、決定されたグループ化スキーム１２５に関連付けられたグループ選択基準のタイプに基づいて、グループ１３５を選択することをさらに含む（ブロック５２０）。方法５００は、選択されたグループ１３５から選択されたランダムアクセスプリアンブル１２０を使用して基地局１０５へのランダムアクセスを試行することをさらに含む（ブロック５３０）。
【００４７】
図２を参照すると、図６は、無線デバイス１１０によって実行されるランダムアクセスプリアンブル選択の別の例示的な方法６００を示している。方法６００は、第１タイプのプリアンブルグループ１３５ａ〜ｃの中から、第１タイプの情報に基づいて第１プリアンブルグループ１３５ｃを選択することを含む（ブロック６１０）。第１タイプのプリアンブルグループ１３５ａ〜ｃは、ランダムアクセスプリアンブル１３０の互いに素なグループを含む。方法６００は、第２タイプのプリアンブルグループ１３５ｄ〜ｆの中から、第２タイプの情報に基づいて第２プリアンブルグループ１３５ｄを選択することをさらに含む（ブロック６２０）。第２タイプのプリアンブルグループ１３５ｄ〜ｆは、ランダムアクセスプリアンブル１３０の範囲を含む。方法６００は、第１および第２のプリアンブルグループ１３５ｃ〜ｄの間の共通部分１３５ｇを決定すること（ブロック６３０）、および、共通部分１３５ｇから選択されたランダムアクセスプリアンブル１２０を使用して基地局１０５へのランダムアクセスを試行すること（ブロック６４０）、をさらに含む。
【００４８】
上述の無線デバイス１１０（例えば、ＵＥ）は、任意の機能的手段またはユニットを実装することにより、図５および／または図６の方法および本明細書の他の処理を実行し得ることに留意されたい。一実施形態では、例えば、ネットワークノードは、図５および／または図６に示されるステップを実行するように構成されたそれぞれの回路(circuits)または回路(circuitry)を含む。この点に関する回路または回路は、特定の機能処理を実行する専用の回路、および／または、メモリとともに１つまたは複数のマイクロプロセッサ、を有し得る。読み出し専用メモリ（ＲＯＭ）、ランダムアクセスメモリ、キャッシュメモリ、フラッシュメモリデバイス、光ストレージデバイスなどの１つまたはいくつかのタイプのメモリを含むメモリを使用する実施形態では、メモリは、１つまたは複数のプロセッサによって実行されると本明細書で説明される技術を実行するプログラムコードを格納する。
【００４９】
図７は、１つまたは複数の実施形態に従って実施される無線デバイス１１０を示す。示されるように、無線デバイス１１０は、処理回路７１０および通信回路７２０を含む。通信回路７２０は、例えば、任意の通信技術を介して、基地局１０５との間で情報を送信および／または受信するように構成される。そのような通信は、無線デバイス１１０の内部または外部のいずれかである１つまたは複数のアンテナを介して行われ得る。処理回路７１０は、メモリ７３０に格納された命令を実行することなどにより、例えば図５および／または図６で上述した処理を実行するように構成される。これに関して、処理回路７１０は、特定の機能的手段、ユニット、またはモジュールを実装し得る。
【００５０】
図８は、１つまたは複数の他の実施形態に従って実施される無線デバイス１１０を示す。示されるように、無線デバイス１１０は、例えば図７の処理回路７１０および／またはソフトウェアコードを介して、様々な機能的手段、ユニット、またはモジュールを実装する。例えば、図５の方法を実施するためのこれらの機能的手段、ユニット、またはモジュールは、（たとえば）複数のランダムアクセスプリアンブル１３０が複数のグループ化スキーム１２５の何れに従ってグループ化されるかを決定する決定ユニットまたはモジュール８１０を含み、ここで、異なるグループ化スキーム１２５は、異なるタイプのグループ選択基準に関連付けられている。また、決定されたグループ化スキーム１２５に従って定義されたランダムアクセスプリアンブル１３５の複数のグループの中から、決定されたグループ化スキーム１２５に関連付けられたグループ選択基準のタイプに基づいて、グループ１３５を選択する選択ユニットまたはモジュール８２０も含まれる。また、選択されたグループ１３５から選択されたランダムアクセスプリアンブル１２０を使用して基地局１０５へのランダムアクセスを試行するランダムアクセスユニットまたはモジュール８３０も含まれる。
【００５１】
図９は、１つまたは複数の他の実施形態に従って実施される無線デバイス１１０を示す。示されるように、無線デバイス１１０は、例えば図７の処理回路７１０および／またはソフトウェアコードを介して、様々な機能的手段、ユニット、またはモジュールを実装する。例えば、図６の方法を実施するためのこれらの機能的手段、ユニット、またはモジュールは、（たとえば）第１タイプのプリアンブルグループ１３５ａ〜ｃの中から、第１タイプの情報に基づいて第１プリアンブルグループ１３５ｃを選択する第１選択ユニットまたはモジュール９１０を含む。第１タイプのプリアンブルグループ１３５ａ〜ｃは、ランダムアクセスプリアンブル１３０の互いに素なグループを含む。また、第２タイプのプリアンブルグループ１３５ｄ〜ｆの中から、第２タイプの情報に基づいて第２プリアンブルグループ１３５ｄを選択するための第２選択ユニットまたはモジュール９２０が含まれる。第２タイプのプリアンブルグループ１３５ｄ〜ｆは、ランダムアクセスプリアンブル１３０の範囲を含む。また、第１及び第２プリアンブルグループ１３５ｃ〜ｄの間の共通部分１３５ｇを決定する決定ユニットまたはモジュール９３０も含まれる。また、共通部分１３５ｇから選択されたランダムアクセスプリアンブル１２０を使用して基地局１０５へのランダムアクセスを試行するランダムアクセスユニットまたはモジュール９４０も含まれる。
【００５２】
当業者は、本明細書の実施形態が対応するコンピュータプログラムをさらに含むことも理解するであろう。
【００５３】
コンピュータプログラムは、無線デバイス１１０の少なくとも１つのプロセッサで実行されると、無線デバイス１１０に上述のそれぞれの処理のいずれかを実行させる命令を含む。これに関するコンピュータプログラムは、上記の手段またはユニットに対応する１つまたは複数のコードモジュールを含み得る。
【００５４】
実施形態は、そのようなコンピュータプログラムを含むキャリアをさらに含む。このキャリアは、電気信号、光信号、無線信号、またはコンピュータ可読記憶媒体のうちの１つを含み得る。
【００５５】
これに関して、本明細書の実施形態は、非一時的なコンピュータ可読（記憶または記録）媒体に格納され、ノードのプロセッサによって実行されると、ノードを上記のように実行させる命令を含むコンピュータプログラム製品も含む。
【００５６】
実施形態は、コンピュータプログラム製品がコンピューティングデバイスによって実行されると、本明細書の実施形態のいずれかのステップを実行するためのプログラムコード部分を含むコンピュータプログラム製品をさらに含む。このコンピュータプログラム製品は、コンピュータ可読記録媒体に保存され得る。
【００５７】
本明細書で説明される無線デバイス１１０は、例えば無線信号を介して、基地局１０５と無線で通信することができる任意のタイプのノードであり得ることに留意されたい。したがって、無線デバイス１１０は、ユーザ装置（ＵＥ）、マシンツーマシン（Ｍ２Ｍ）デバイス、マシンタイプ通信（ＭＴＣ）デバイス、ＮＢ−ＩｏＴデバイスなどを指し得る。「ＵＥ」は、デバイスを所有および／または操作する個人の意味での「ユーザ」を必ずしも有さないことに注意されたい。無線デバイス１１０は、無線デバイス、無線通信デバイス、無線端末、または単に端末と呼ばれ得、文脈がそうでないことを示さない限り、これらの用語の使用は、デバイスツーデバイスＵＥまたはデバイス、マシンタイプのデバイスまたはマシンツーマシン通信が可能なデバイス、無線デバイスを装備したセンサー、無線対応テーブルコンピューター、モバイル端末、スマートフォン、ラップトップ埋込装置（ＬＥＥ）、ラップトップ搭載機器（ＬＭＥ）、ＵＳＢドングル、無線顧客宅内機器（ＣＰＥ）など、を含むことを意図している。本明細書の説明では、マシンツーマシン（Ｍ２Ｍ）デバイス、マシンタイプ通信（ＭＴＣ）デバイス、無線センサー、およびセンサーという用語も使用され得る。これらのデバイスはＵＥであり得るが、一般に人間の直接の対話なしにデータを送信および／または受信するように構成されることに理解されたい。
【００５８】
モノのインターネット（ＩｏＴ）シナリオでは、本明細書で説明する無線デバイス１１０は、監視または測定を実行し、そのような監視測定の結果を別のデバイスまたはネットワークに送信するマシンまたはデバイスであり得るか、またはそれらに含まれ得る。そのようなマシンの特定の例は、電力計、産業機械、または家庭用または個人用アプライアンス（例えば、冷蔵庫、テレビ、時計などの個人用ウェアラブル）である。他のシナリオでは、本明細書に記載の無線通信デバイスは、車両に含まれ得、車両の動作状態または車両に関連する他の機能の監視および／または報告を実行し得る。
【００５９】
本開示の他の実施形態は、以下に列挙された実施形態で詳述される例の態様を追加的または代替的に含み得る。本開示のさらなる実施形態は、追加的または代替的に、以下の付録に詳述される例の態様を含み得る。
【００６０】
当業者は、本明細書に記載された様々な方法およびプロセスが、一般に、必ずしもそうではないが、本明細書に記載の技術を実行するためのソフトウェア命令またはデータを格納するメモリに接続された、１つまたは複数のマイクロプロセッサ、マイクロコントローラ、デジタル信号プロセッサなどの使用を含む、様々なハードウェア構成を使用して実装され得ることを理解するであろう。例えば、上記で説明した処理機能の１つまたは複数は、プログラム命令で構成されたマイクロプロセッサではなく、専用のハードウェアを使用して実装され得る。そのようなバリエーション、およびそれぞれに関連するエンジニアリングのトレードオフは、当業者によって容易に理解されるであろう。本開示の範囲外であるシステムレベルの要件に依存し得る様々なハードウェアアプローチの設計およびコストのトレードオフは当業者に周知であるため、特定のハードウェア実装のさらなる詳細は本明細書では提供されない。
【００６１】
本発明は、本発明の本質的な特徴から逸脱することなく、本明細書で具体的に説明した方法以外の方法で実施することができる。本実施形態は、すべての点で例示的であり、限定的ではないと見なされるべきであり、添付の特許請求の範囲の意味および等価範囲内にあるすべての変更はそこに含まれるものとする。本明細書で説明される様々なプロセスまたは方法のステップは、シーケンスまたは時間的順序であるとして示され説明される場合があるが、そのようなプロセスまたは方法のステップは、他の指示がない限り、特定のシーケンスまたは順序で実行されることに限定されない。実際、そのようなプロセスまたは方法のステップは、一般に、本発明の範囲内にある限り、さまざまな異なるシーケンスおよび順序で実行され得る。
【図１】
2020508001.tif 000003
【図２】
2020508001.tif 000004
【図３】
2020508001.tif 000005
【図４】
2020508001.tif 000006
【図５】
2020508001.tif 000007
【図６】
2020508001.tif 000008
【図７】
2020508001.tif 000009
【図８】
2020508001.tif 000010
【図９】
2020508001.tif 000011
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
無線デバイス（１１０）によって実行されるランダムアクセスプリアンブル（１２０）選択の方法であって、
複数のランダムアクセスプリアンブル（１３０）が複数のグループ化スキーム（１２５）の何れに従ってグループ化されるかを決定すること（５１０）であって、異なるグループ化スキーム（１２５）は異なるタイプのグループ選択基準に関連付けられており、前記複数のランダムアクセスプリアンブル（１３０）は前記複数のグループ化スキーム（１２５）の各々に従ってグループ化が可能であるが、前記複数のランダムアクセスプリアンブル（１３０）が前記複数のグループ化スキーム（１２５）の何れか１つに従ってグループ化される場合は該複数のランダムアクセスプリアンブル（１３０）は該複数のグループ化スキーム（１２５）の他の何れか１つに従ってグループ化されない、前記決定すること（５１０）と、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択すること（５２０）と、
前記選択されたグループ（１３５）から選択されたランダムアクセスプリアンブル（１２０）を使用して基地局（１０５）へのランダムアクセスを試行すること（５３０）と、
を含む方法。
【請求項２】
アクセスノード（１０５）から複数のランダムアクセスプリアンブル構成パラメータを受信することを更に含み、
前記複数のグループ化スキーム（１２５）は、グループ（１３５）の選択がそれぞれ少なくとも前記無線デバイス（１１０）からの保留中の送信のサイズおよび前記無線デバイス（１１０）のカバレッジ強化レベルに従うグループ選択基準のそれぞれのタイプに関連付けられた第１および第２のグループ化スキーム（１２５ａ，１２５ｂ）を含み、
前記複数のランダムアクセスプリアンブル（１３０）が前記複数のグループ化スキーム（１２５）の何れに従ってグループ化されるかを決定することは、前記複数のランダムアクセスプリアンブル構成パラメータの少なくとも２つの比較に基づく
請求項１に記載の方法。
【請求項３】
前記複数のランダムアクセスプリアンブル構成パラメータの少なくとも２つの比較は、ｓｉｚｅＯｆＲＡ−ＰｒｅａｍｂｌｅｓＧｒｏｕｐＡパラメータをｎｕｍｂｅｒＯｆＲＡ−Ｐｒｅａｍｂｌｅｓパラメータと比較することを含む
請求項２に記載の方法。
【請求項４】
前記複数のランダムアクセスプリアンブル（１３０）が前記複数のグループ化スキーム（１２５）の何れに従ってグループ化されるかを決定することは、前記複数のランダムアクセスプリアンブル（１３０）が、ｓｉｚｅＯｆＲＡ−ＰｒｅａｍｂｌｅｓＧｒｏｕｐＡパラメータがｎｕｍｂｅｒＯｆＲＡ−Ｐｒｅａｍｂｌｅｓパラメータに等しいか否かにそれぞれ基づく前記第１のグループ化スキーム（１２５ａ）又は前記第２のグループ化スキーム（１２５ｂ）に従ってグループ化されることを決定することを含む
請求項３に記載の方法。
【請求項５】
前記決定されたグループ化スキームに関連付けられたグループ選択基準のタイプは、カバレッジ強化レベルに基づいており、前記決定されたグループ化スキーム（１２５）に関連付けられたグループ選択基準の前記タイプに基づいてグループ（１３５）を選択することは、前記無線デバイス（１１０）のカバレッジ強化レベルに基づいてグループ（１３５）を選択することを含む
請求項１乃至４の何れか１項に記載の方法。
【請求項６】
異なる物理ランダムアクセスチャネル（ＰＲＡＣＨ）リソースは異なるカバレッジ強化レベルに関連付けられ、前記選択されたグループから選択された前記ランダムアクセスプリアンブル（１２０）を使用して前記基地局（１０５）へのランダムアクセスを試行することは、前記ランダムアクセスプリアンブル（１２０）が選択されたグループ（１３５）に対応するＰＲＡＣＨリソース上で、前記選択されたランダムアクセスプリアンブル（１２０）を送信することを含む
請求項５に記載の方法。
【請求項７】
アクセスノード（１０５）から複数のランダムアクセスプリアンブル構成パラメータを受信することを更に含み、
前記複数のランダムアクセスプリアンブル（１３０）が前記複数のグループ化スキーム（１２５）の何れに従ってグループ化されるかを決定することは、前記複数のランダムアクセスプリアンブル（１３０）が前記第２のグループ化スキーム（１２５ｂ）に従ってグループ化されることを決定することを含み、
前記複数のグループ（１３５）の各々の複数のランダムアクセスプリアンブル（１３０）は、前記複数のランダムアクセスプリアンブル構成パラメータの少なくとも２つによって示される
請求項５又は６に記載の方法。
【請求項８】
前記複数のランダムアクセスプリアンブル構成パラメータの前記少なくとも２つは、ｆｉｒｓｔＰｒｅａｍｂｌｅパラメータおよびｌａｓｔＰｒｅａｍｂｌｅパラメータである
請求項７に記載の方法。
【請求項９】
前記決定されたグループ化スキーム（１２５）に関連付けられたグループ選択基準のタイプは、送信サイズに基づき、前記決定されたグループ化スキーム（１２５）に関連付けられたグループ選択基準のタイプに基づいて前記グループ（１３５）を選択することは、前記無線デバイス（１１０）からの保留中の送信のサイズに基づいて前記グループ（１３５）を選択することを含む
請求項１乃至４の何れか１項に記載の方法。
【請求項１０】
前記複数のグループ化スキーム（１２５）は、グループ（１３５）の選択がそれぞれ前記無線デバイス（１１０）からの保留中の送信のサイズおよび前記無線デバイス（１１０）のカバレッジ強化レベルに従うグループ選択基準のそれぞれのタイプに関連付けられた第１および第２のグループ化スキーム（１２５ａ，１２５ｂ）を含む
請求項１乃至９の何れか１項に記載の方法。
【請求項１１】
無線デバイス（１１０）であって、
プロセッサ（７１０）およびメモリ（７３０）を有し、前記メモリ（７３０）は前記プロセッサ（７１０）によって実行可能な命令を含み、それにより、前記無線デバイス（１１０）は、
複数のランダムアクセスプリアンブル（１３０）が複数のグループ化スキーム（１２５）の何れに従ってグループ化されるかを決定し、ここで、異なるグループ化スキーム（１２５）は異なるタイプのグループ選択基準に関連付けられており、前記複数のランダムアクセスプリアンブル（１３０）は前記複数のグループ化スキーム（１２５）の各々に従ってグループ化が可能であるが、前記複数のランダムアクセスプリアンブル（１３０）が前記複数のグループ化スキーム（１２５）の何れか１つに従ってグループ化される場合は該複数のランダムアクセスプリアンブル（１３０）は該複数のグループ化スキーム（１２５）の他の何れか１つに従ってグループ化されることはなく、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択し、
前記選択されたグループ（１３５）から選択されたランダムアクセスプリアンブル（１２０）を使用して基地局（１０５）へのランダムアクセスを試行する
ように動作する
無線デバイス（１１０）。
【請求項１２】
実施形態２乃至１０の何れか１つの方法を実行するように構成された請求項１１に記載の無線デバイス（１１０）。
【請求項１３】
ランダムアクセスプリアンブル（１２０）選択のための無線デバイス（１１０）であって、
複数のランダムアクセスプリアンブル（１３０）が複数のグループ化スキーム（１２５）の何れに従ってグループ化されるかを決定し、ここで、異なるグループ化スキーム（１２５）は異なるタイプのグループ選択基準に関連付けられており、前記複数のランダムアクセスプリアンブル（１３０）は前記複数のグループ化スキーム（１２５）の各々に従ってグループ化が可能であるが、前記複数のランダムアクセスプリアンブル（１３０）が前記複数のグループ化スキーム（１２５）の何れか１つに従ってグループ化される場合は該複数のランダムアクセスプリアンブル（１３０）は該複数のグループ化スキーム（１２５）の他の何れか１つに従ってグループ化されることはなく、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択し、
前記選択されたグループ（１３５）から選択されたランダムアクセスプリアンブル（１２０）を使用して基地局（１０５）へのランダムアクセスを試行する
ように構成される無線デバイス（１１０）。
【請求項１４】
実施形態２乃至１０の何れか１つの方法を実行するように構成された請求項１３に記載の無線デバイス（１１０）。
【請求項１５】
ランダムアクセスプリアンブル（１２０）選択のための無線デバイス（１１０）であって、
複数のランダムアクセスプリアンブル（１３０）が複数のグループ化スキーム（１２５）の何れに従ってグループ化されるかを決定するように構成された決定モジュール（８１０）であって、異なるグループ化スキーム（１２５）は異なるタイプのグループ選択基準に関連付けられており、前記複数のランダムアクセスプリアンブル（１３０）は前記複数のグループ化スキーム（１２５）の各々に従ってグループ化が可能であるが、前記複数のランダムアクセスプリアンブル（１３０）が前記複数のグループ化スキーム（１２５）の何れか１つに従ってグループ化される場合は該複数のランダムアクセスプリアンブル（１３０）は該複数のグループ化スキーム（１２５）の他の何れか１つに従ってグループ化されない、前記決定モジュール（８１０）と、
前記決定されたグループ化スキーム（１２５）に従って定義されたランダムアクセスプリアンブル（１３０）の複数のグループ（１３５）から、前記決定されたグループ化スキーム（１２５）に関連付けられたグループ選択基準のタイプに基づいて、グループ（１３５）を選択するように構成された選択モジュール（８２０）と、
前記選択されたグループ（１３５）から選択されたランダムアクセスプリアンブル（１２０）を使用して基地局（１０５）へのランダムアクセスを試行するように構成されたランダムアクセスモジュール（８３０）と、
を有する無線デバイス。
【請求項１６】
実施形態２乃至１０の何れか１つの方法を実行するように構成された請求項１５に記載の無線デバイス（１１０）。
【請求項１７】
デバイスの少なくとも１つのプロセッサにより実行されたとき、該少なくとも１つのプロセッサに実施形態１乃至１０の何れか１つの方法を実行させる命令を含む、コンピュータプログラム。
【請求項１８】
請求項１７に記載のコンピュータプログラムを含むキャリアであって、該キャリアは、電気信号、光信号、無線信号、またはコンピュータ可読記憶媒体のうちの１つである、キャリア。
【国際調査報告】
2020508001.tif 000012
2020508001.tif 000013
2020508001.tif 000014